(57)【特許請求の範囲】
【請求項１】
遊技媒体の個数を計数する計数機と、前記計数機の計数結果を記録媒体に記録して発券する発券機とを伝送媒体で接続し、前記計数結果を前記伝送媒体を介して伝送するシステムであって、
前記計数機と前記発券機とを第２の伝送媒体で接続し、
前記計数機は、
遊技媒体の個数を計数する計数手段と、前記計数手段で計数した計数値に相当する数のパルスからなるパルス信号を前記伝送媒体を介して前記発券機に出力する第１のパルス信号出力手段と、前記計数手段で計数した計数値に対して少なくともこの計数値とは異なる所定の割合となる数のパルスからなるパルス信号を前記第２の伝送媒体を介して前記発券機に出力する第２のパルス信号出力手段と、を備え、
前記発券機は、
前記伝送媒体を介して入力したパルス信号のパルス数を計数する第１のパルス計数手段と、前記第２の伝送媒体を介して入力したパルス信号のパルス数を計数する第２のパルス計数手段と、前記第２のパルス計数手段で計数したパルス数が前記第１のパルス計数手段で計数したパルス数に対して前記所定の割合とならないときは所定のエラー処理を実行するエラー処理手段と、を備えていることを特徴とする発券システム。
【請求項２】
請求項１において、
前記エラー処理手段は、前記第２のパルス計数手段で計数したパルス数が前記第１のパルス計数手段で計数したパルス数に対して前記所定の割合とならないときであっても、前記第２のパルス計数手段で計数したパルス数に前記所定数を乗じて得た値と前記第１のパルス計数手段で計数したパルス数との差値が前記所定数未満となるときは、前記所定のエラー処理を実行しないようになっていることを特徴とする発券システム。
【発明の詳細な説明】
【０００１】
【発明の属する技術分野】
本発明は、遊技場において、遊技客が遊技により獲得した遊技媒体を景品と交換する際に用いられるシステムに係り、特に、遊技媒体を計数してこれをレシート等に記録して発券する発券システムに関する。さらに詳しくは、計数機または発券機に対する不正の発見を容易とし、不正行為によって誤って景品を交換してしまうことを防止するのに好適な発券システムに関する。
【０００２】
【従来の技術】
遊技場において、遊技客が遊技により獲得した遊技媒体を景品と交換するには、遊技客は、獲得した遊技媒体を計数機に投入し、計数機の計数結果が記録されたレシートを発券機から受け取り、このレシートを景品交換カウンタに持っていくことにより行われる。景品交換カウンタでは、レシートに記録された遊技媒体数をＰＯＳ端末装置により参照して景品の交換を行う。
【０００３】
従来、遊技客が遊技により獲得した遊技媒体を景品と交換する際に用いられる景品管理システムとしては、例えば、特開平5-111577号公報に開示されたものがあった。図６は、従来の景品管理システムの構成を示す図である。
この景品管理システム１０は、図６に示すように、遊技媒体の個数を計数する第１計数機１１および第２計数機１２と、計数機１１，１２の計数値を少なくとも含むバーコードプリントデータをレシートに記録して発券する発券機２０と、景品交換処理を行うＰＯＳ端末装置３０と、レシートのバーコードプリントデータの照合を行う集中管理装置４０と、で構成されている。
【０００４】
発券機２０は、計数機１１，１２の計数値、発券時刻および発券順序を含むバーコードプリントデータをレシートに記録して発券するとともに、そのバーコードプリントデータを集中管理装置４０に出力するようになっている。
集中管理装置４０は、発券機２０からのバーコードプリントデータを発券記憶部４３に記憶しておき、ＰＯＳ端末装置３０からの照合要求があったときは、ＰＯＳ端末装置３０がレシートから読み取ったバーコードプリントデータと、発券記憶部４３のバーコードプリントデータと、を照合するようになっている。
【０００５】
ＰＯＳ端末装置３０は、照合結果が一致したバーコードプリントデータに応じた景品の払出管理と、照合結果が不一致の景品の払出禁止管理と、払出済みデータに応じた景品の払出禁止処理と、を行うようになっている。
【０００６】
【発明が解決しようとする課題】
このように、上記景品管理システム１０によれば、確かに、偽造された不正なレシートが景品交換カウンタに持ち込まれても、誤って景品を交換してしまうことを未然に防止することができるが、計数機１１，１２または発券機２０に対して不正が行われた場合には、対処しきれない可能性がある。
【０００７】
すなわち、上記景品管理システム１０にあっては、計数機１１，１２の計数値自体に細工が施された場合には、その計数値が偽造のものであるにもかかわらず、その計数値を含むバーコードプリントデータを正規のものとして管理してしまうので、結果として、そのバーコードプリントデータが記録されたレシートにより、誤って景品を交換してしまうこととなる。
【０００８】
一般に、計数機１１，１２は、遊技媒体の個数を計数し、その計数値に相当する数のパルスからなるパルス信号を発券機２０に出力するようになっているため、例えば、計数機１１，１２と発券機２０とを接続する信号線にパルス信号を出力するリレー等を介在させれば、このリレーにより計数機１１，１２の計数値に細工を施すことが比較的容易であり、実際に、遊技場においてこうした形態での不正行為がしばしば行われている。
【０００９】
そこで、本発明は、このような従来の技術の有する未解決の課題に着目してなされたものであって、計数機または発券機に対する不正の発見を容易とし、不正行為によって誤って景品を交換してしまうことを防止するのに好適な発券システムをシステムを提供することを目的としている。
【００１０】
【課題を解決するための手段】
上記目的を達成するために、第１の発明に係る発券システムは、遊技媒体の個数を計数する計数機と、前記計数機の計数結果を記録媒体に記録して発券する発券機とを伝送媒体で接続し、前記計数結果を前記伝送媒体を介して伝送するシステムであって、前記計数機は、前記計数結果の出力とともに、当該計数結果を判定するための判定情報を出力するようになっており、前記判定情報に基づいて前記計数結果の異常を検出したときは、所定のエラー処理を実行するようになっている。
【００１１】
このような構成であれば、遊技客が遊技により獲得した遊技媒体を計数機に投入すると、計数機では、投入された遊技媒体の個数が計数され、その計数結果が伝送媒体を介して発券機に出力されるとともに、その計数結果を判定するための判定情報が出力される。そして、判定情報に基づいて計数結果の異常が検出されたときは、所定のエラー処理が実行される。
【００１２】
ここで、遊技媒体とは、遊技機で遊技を行う際に用いられる媒体をいい、こうした媒体としては、例えば、パチンコ機で使用されるパチンコ玉や、スロットマシンで使用されるメダルやコインを挙げることができる。以下、第２の発明の発券システムにおいて同じである。
また、記録媒体とは、一定の事項を確実に記録することができる記録手段をいい、こうした手段としては、例えば、レシート等の記録紙や、磁気カード、ＩＣカード等の記録カードを挙げることができる。以下、第２の発明の発券システムにおいて同じである。
【００１３】
また、伝送媒体とは、計数機の計数結果を伝送するための伝送手段をいい、これには、有線または無線による伝送手段が含まれ、有線による伝送手段としては、例えば、導体ケーブル、光ファイバケーブルを挙げることができる。以下、第２の発明の発券システムにおいて同じである。
また、判定情報とは、計数結果に異常があるか否かを検査するための情報をいい、こうした情報としては、例えば、パリティチェックコード、群計数チェックコード等の誤り検出符号や、ＣＲＣ(cyclic redundancy check)、ハミングコード等の誤り訂正符号や、限度検査、合計検査を行うための検査情報や、計数結果を所定の暗号キーで暗号化した暗号化情報を挙げることができる。以下、第２の発明の発券システムにおいて同じである。
【００１４】
また、所定のエラー処理とは、計数結果の異常を検出したときに対処するための処理をいい、こうした処理としては、例えば、不正が行われたことを通知する警告音、警告光（警告ランプの点灯等）またはその旨の警告メッセージを出力すること、ホールコンピュータや景品カウンタのＰＯＳ端末装置に不正が行われたことを通知すること、発券機でレシートを発券することを禁止すること、計数機または発券機の電源を遮断すること、電源を遮断する等の所定の操作を行うまで計数機または発券機に対する操作を受け付けないようにすること、計数結果の異常を検出した時点を特定するためにそのときの時刻等を記憶すること、を挙げることができる。以下、第２の発明の発券システムにおいて同じである。
【００１５】
また、所定のエラー処理は、計数機と発券機との間で不正が行われる現状を考慮すると、発券機で行うようにすることが好ましいが、将来的に、計数機と発券機との間以外のところで新たな不正が行われることを想定し、計数機または発券機とは別の場所、例えば、ホールコンピュータ、ＰＯＳ端末装置その他の装置で行うようにしてもよい。
【００１６】
さらに、第２の発明に係る発券システムは、遊技媒体の個数を計数する計数機と、前記計数機の計数結果を記録媒体に記録して発券する発券機とを伝送媒体で接続し、前記計数結果を前記伝送媒体を介して伝送するシステムであって、前記計数機と前記発券機とを第２の伝送媒体で接続し、前記計数機は、前記計数結果の出力とともに、当該計数結果を判定するための判定情報を前記第２の伝送媒体を介して前記発券機に出力するようになっており、前記発券機は、前記判定情報に基づいて前記計数結果の異常を検出したときは、所定のエラー処理を実行するようになっている。
【００１７】
このような構成であれば、遊技客が遊技により獲得した遊技媒体を計数機に投入すると、計数機では、投入された遊技媒体の個数が計数され、その計数結果が伝送媒体を介して発券機に出力されるとともに、その計数結果を判定するための判定情報が第２の伝送媒体を介して発券機に出力される。発券機では、判定情報に基づいて計数結果の異常が検出されたときは、所定のエラー処理が実行される。
【００１８】
ここで、第２の伝送媒体とは、計数機の計数結果を伝送するための伝送手段をいい、これには、有線または無線による伝送手段が含まれ、有線による伝送手段としては、例えば、導体ケーブル、光ファイバケーブルを挙げることができる。もっとも、第２の伝送媒体は、伝送媒体と同一の手段を用いるものであってもよいし、伝送媒体とは異なる手段を用いるものであってもよい。
【００１９】
さらに、第３の発明に係る発券システムは、第２の発明に係る発券システムにおいて、前記計数機は、遊技媒体の個数を計数する計数手段と、前記計数手段で計数した計数値に相当する数のパルスからなるパルス信号を前記伝送媒体を介して前記発券機に出力する第１のパルス信号出力手段と、前記計数手段で計数した計数値に対して所定の割合となる数のパルスからなるパルス信号を前記第２の伝送媒体を介して前記発券機に出力する第２のパルス信号出力手段と、を備え、前記発券機は、前記伝送媒体を介して入力したパルス信号のパルス数を計数する第１のパルス計数手段と、前記第２の伝送媒体を介して入力したパルス信号のパルス数を計数する第２のパルス計数手段と、前記第２のパルス計数手段で計数したパルス数が前記第１のパルス計数手段で計数したパルス数に対して前記所定の割合とならないときは前記所定のエラー処理を実行するエラー処理手段と、を備えている。
【００２０】
このような構成であれば、遊技客が遊技により獲得した遊技媒体を計数機に投入すると、計数機では、計数手段により、投入された遊技媒体の個数が計数され、第１のパルス信号出力手段により、計数手段で計数された計数値に相当する数のパルスからなるパルス信号が伝送媒体を介して発券機に出力されるとともに、第２のパルス信号出力手段により、計数手段で計数された計数値に対して所定の割合となる数のパルスからなるパルス信号が第２の伝送媒体を介して発券機に出力される。
【００２１】
発券機では、第１のパルス計数手段により、伝送媒体を介して入力されたパルス信号のパルス数が計数されるとともに、第２のパルス計数手段により、第２の伝送媒体を介して入力されたパルス信号のパルス数が計数される。そして、第２のパルス計数手段で計数されたパルス数が第１のパルス計数手段で計数されたパルス数に対して所定の割合とならないときは、エラー処理手段により、所定のエラー処理が実行される。
【００２２】
ここで、所定の割合とは、計数値に対する比率をいい、この比率は、１以上であってもよいし、１未満であってもよい。例えば、計数値が“１０”である場合には、第２のパルス信号出力手段は、２０個のパルスからなるパルス信号を出力するようにしてもよく、この場合、所定の割合は“２”となり、これに対して、１個のパルスからなるパルス信号を出力するようにしてもよく、この場合、所定の割合は“０．１”となる。
【００２３】
また、第２の伝送媒体を介して伝送されるパルス信号は、合計検査を行うための検査情報であって、第２の発明に係る判定情報に対応している。
さらに、第４の発明に係る発券システムは、第３の発明に係る発券システムにおいて、前記エラー処理手段は、前記第２のパルス計数手段で計数したパルス数が前記第１のパルス計数手段で計数したパルス数に対して前記所定の割合とならないときであっても、前記第２のパルス計数手段で計数したパルス数に前記所定数を乗じて得た値と前記第１のパルス計数手段で計数したパルス数との差値が前記所定数未満となるときは、前記所定のエラー処理を実行しないようになっている。
【００２４】
このような構成であれば、発券機では、第２のパルス計数手段で計数されたパルス数が第１のパルス計数手段で計数されたパルス数に対して所定の割合とならないときであっても、第２のパルス計数手段で計数されたパルス数に所定数を乗じて得た値と第１のパルス計数手段で計数されたパルス数との差値が所定数未満となるときは、所定のエラー処理が実行されない。
【００２５】
例えば、所定の割合が“０．１”であり、これにより、第２のパルス出力手段は、第１のパルス信号出力手段が１０個のパルスを出力するごとに１個のパルスを出力するようになってる場合に、計数値が“１９”であるときは、計数機では、第１のパルス信号出力手段により１９個のパルスからなるパルス信号が、第２のパルス信号出力手段により１個のパルスからなるパルス信号が出力されることとなる。このような場合は、異常であると検出することはなく、したがって、発券機では、第２のパルス計数手段のパルス計数値“１”が第１のパルス計数手段のパルス計数値“１９”に対して所定の割合“０．１”とならないが、第２のパルス計数手段のパルス計数値“１”に所定数“１０”を乗じて得た値“１０”と第１のパルス計数手段のパルス計数値“１９”との差値“９”が所定数“１０”未満となるので、所定のエラー処理が実行されない。
【００２６】
【発明の実施の形態】
以下、本発明の実施の形態を図面を参照しながら説明する。図１ないし図５は、本発明に係る発券システムの実施の形態を示す図である。
この実施の形態は、図１に示すように、計数機１０が有する従来の機能であってホールコンピュータ７０が計数機１０の計数値を集計するために必要な対率パルス信号を出力する機能を利用して、計数機１０の計数値に誤りが含まれているか否かをレシート発券機３０で検査するものである。すなわち、従来、計数機１０は、遊技媒体の個数を計数し、その計数値に対して所定の割合（例えば、“０．１”）の数のパルスからなる対率パルス信号をホールコンピュータ７０に出力するようになっており、ホールコンピュータ７０は、この対率パルス信号に基づいて、計数機１０のおおよその計数値を取得するようになっている。遊技場では、計数機１０の計数値や、遊技客に対して貸し出した遊技媒体の個数等を参照して、売上等の計算を行うようにしている。
【００２７】
まず、本発明に係る発券システムの構成を図１および図２を参照しながら説明する。図１は、本発明に係る発券システムの構成を示す図であり、図２は、計数機１０およびレシート発券機３０の外観の構成を示す図である。
このシステムは、図１に示すように、パチンコ玉等の遊技媒体の個数を計数する計数機１０と、計数機１０で計数した計数値をレシートに記録して発券するレシート発券機３０と、で構成されており、計数機１０とレシート発券機３０とは、計数機１０で計数した計数値に相当する数のパルスからなる計数パルス信号を伝送するための信号線９８と、対率パルス信号を伝送するための信号線９９と、で接続されている。
【００２８】
レシート発券機３０は、図２に示すように、計数機１０の計数値に誤りがあることを検出したときに点灯させる異常ランプ３２と、レシートを発券するための発券ボタン３４と、レシートを発券するレシート発券口３６と、を有し、計数機１０に近接して設置されている。
次に、計数機１０の内部構成を図３を参照しながら説明する。図３は、計数機１０の内部構成を示すブロック図である。
【００２９】
計数機１０は、図３に示すように、図示しない遊技媒体回収口等から遊技媒体を１個回収するごとに検出信号を出力する計数センサ１２と、計数センサ１２からの検出信号に基づいて遊技媒体の個数を計数する計数カウンタ１４と、計数カウンタ１４で計数した計数値をパルス信号に変換するパルス変換回路１６と、パルス変換回路１６からのパルス信号に基づいて対率パルス信号を信号線９９に出力する対率パルス出力回路１８と、パルス変換回路１６からのパルス信号に基づいて計数パルス信号を信号線９８に出力する計数パルス出力回路２０と、で構成されている。
【００３０】
パルス変換回路１６は、計数カウンタ１４で計数した計数値を入力し、その計数値に相当する数のパルスからなるパルス信号を出力するようになっている。例えば、計数カウンタ１４の計数値が“１０”である場合は、１０個のパルスからなるパルス信号を出力する。
対率パルス出力回路１８は、パルス変換回路１６からパルス信号を入力し、そのパルスを所定数（例えば、“１０”）入力するごとに、１個のパルスを出力するようになっている。計数パルス出力回路２０は、パルス変換回路１６からパルス信号を入力し、そのパルス信号をそのまま計数パルス信号として出力するようになっている。
【００３１】
次に、レシート発券機３０の内部構成を図４を参照しながら説明する。図４は、レシート発券機３０の内部構成を示すブロック図である。
レシート発券機３０は、図４に示すように、信号線９９を介して対率パルス信号を入力する対率パルス入力回路４０と、信号線９８を介して計数パルス信号を入力する計数パルス入力回路４２と、制御プログラムに基づいて演算およびシステム全体を制御するＣＰＵ４４と、所定領域にあらかじめＣＰＵ４４の制御プログラム等を格納しているＲＯＭ４６と、ＲＯＭ４６等から読み出したデータやＣＰＵ４４の演算過程で必要な演算結果を格納するためのＲＡＭ４８と、レシートを発券するための処理を行うレシート発券処理部５０と、異常ランプ３２と、で構成されており、これらは、データを転送するための信号線であるバスで相互にかつデータ授受可能に接続されている。
【００３２】
ＣＰＵ４４は、マイクロプロセッシングユニットＭＰＵ等からなり、電源投入とともに、ＲＯＭ４６の所定領域に格納されている所定のプログラムを起動させ、そのプログラムに従って、図５のフローチャートに示す誤り検査処理を実行するようになっている。図５は、誤り検査処理を示すフローチャートである。
誤り検査処理は、対率パルス信号および計数パルス信号に基づいて、計数機１０の計数値に誤りが含まれているか否かを検査し、計数値に誤りがあることを検出したときは、異常ランプ３２を点灯させ、計数値に誤りがあることを検出しないときは、計数値をレシートに記録して発券するものであって、ＣＰＵ４４において実行されると、図５に示すように、まず、ステップＳ１００に移行するようになっている。
【００３３】
ステップＳ１００では、計数パルス信号のパルス数を計数するための変数であるカウンタＣ1、および対率パルス信号のパルス数を計数するための変数であるカウンタＣ2にいずれも“０”を設定し、ステップＳ１０２に移行する。
ステップＳ１０２では、計数パルス信号に含まれる１パルスを計数パルス入力回路４２から入力したか否かを判定し、計数パルス信号に含まれる１パルスを入力したと判定されたとき(Yes)は、ステップＳ１０４に移行して、カウンタＣ1の値に“１”を加算し、ステップＳ１０６に移行して、動作開始時から所定時間（例えば、数秒）を経過するとタイムアウトをするタイマの動作を開始させ、ステップＳ１１８に移行する。
【００３４】
ステップＳ１１８では、ステップＳ１０６で動作を開始させたタイマがタイムアウトしたか否かを判定し、タイムアウトしたと判定されたとき(Yes)は、ステップＳ１２０に移行して、カウンタＣ2の値に所定値ｎを乗じて得た値をカウンタＣ1の値から減じて差値ΔＣを算出し、ステップＳ１２２に移行して、差値ΔＣが所定値ｎ未満であるか否かを判定し、差値ΔＣが所定値ｎ未満でないと判定されたとき(No)は、ステップＳ１２４に移行して、異常ランプ３２を点灯させ、一連の処理を終了する。すなわち、ステップＳ１２２において、差値ΔＣが所定値ｎ未満でないと判定されたときは、対率パルス信号のパルス数が計数パルス信号のパルス数に対して所定の割合とならないので、この場合は、エラー処理として異常ランプ３２を点灯させる。
【００３５】
一方、ステップＳ１２２で、差値ΔＣが所定値ｎ未満であると判定されたとき(Yes)は、ステップＳ１２６に移行して、発券ボタン３４を有効にし、ステップＳ１２８に移行して、発券ボタン３４の押下を検出したか否かを判定し、発券ボタン３４の押下を検出しないと判定されたとき(No)は、ステップＳ１２８で待機するが、発券ボタン３４の押下を検出したと判定されたとき(Yes)は、ステップＳ１３０に移行して、カウンタＣ1の値をレシートに記録して発券するようレシート発券処理部５０を制御し、一連の処理を終了する。
【００３６】
一方、ステップＳ１１８で、ステップＳ１０６で動作を開始させたタイマがタイムアウトしていない（タイマが動作していない場合も含む。）と判定されたとき(No)は、ステップＳ１０２に移行する。
一方、ステップＳ１０２で、計数パルス信号に含まれる１パルスを入力していないと判定されたとき(No)は、ステップＳ１０８に移行して、対率パルス信号に含まれる１パルスを対率パルス入力回路４０から入力したか否かを判定し、対率パルス信号に含まれる１パルスを入力したと判定されたとき(Yes)は、ステップＳ１０９に移行して、ステップＳ１０６で動作を開始させたタイマが動作中であるか否かを判定し、タイマが動作中であると判定されたとき(Yes)は、ステップＳ１１０に移行して、カウンタＣ2の値に“１”を加算し、ステップＳ１１８に移行する。
【００３７】
一方、ステップＳ１０９で、タイマが動作中でないと判定されたとき(No)は、ステップＳ１２４に移行する。
一方、ステップＳ１０８で、対率パルス信号に含まれる１パルスを入力していないと判定されたとき(No)は、ステップＳ１０２に移行する。
なお、この誤り検査処理が終了した場合には、再びステップＳ１００から処理が実行される。ただし、ステップＳ１２４を経て終了した場合には、計数機１０およびレシート発券機３０の電源を遮断する等の所定の操作を行うまでは、処理を再開しないように構成してもよい。
【００３８】
次に、上記実施の形態の動作を説明する。
まず、計数機１０またはレシート発券機３０に対して不正行為が行われていない場合を説明する。
遊技客が遊技により獲得した遊技媒体（例えば、９８個の遊技媒体）を計数機１０に投入すると、計数機１０では、計数センサ１２および計数カウンタ１４により、投入された遊技媒体の個数が計数され、パルス変換回路１６により、その計数値“９８”に相当する数“９８”のパルスからなるパルス信号が計数パルス出力回路２０および対率パルス出力回路１８に出力される。
【００３９】
そして、計数パルス出力回路２０により、パルス変換回路１６からのパルス信号がそのまま計数パルス信号として信号線９８に出力されるとともに、対率パルス出力回路１８により、パルス変換回路１６からのパルス信号のパルスが１０個出力されるごとに、１個のパルスからなる対率パルス信号が信号線９９に出力される。すなわち、この場合、計数パルス出力回路２０からは、９８個のパルスからなる計数パルス信号が出力され、対率パルス出力回路１８からは、９個のパルスからなる対率パルス信号が出力されることになる。
【００４０】
レシート発券機３０では、信号線９８を介して計数パルス入力回路４２から計数パルス信号が入力されると、ステップＳ１０２〜Ｓ１０６を経て、カウンタＣ1により計数パルス信号のパルス数が計数され、信号線９８を介して対率パルス入力回路４０から対率パルス信号が入力されると、ステップＳ１０８，Ｓ１１０を経て、カウンタＣ2により対率パルス信号のパルス数が計数される。この場合、計数パルス信号のパルス数は“９８”として計数され、対率パルス信号のパルス数は“９”として計数されるが、計数パルス信号のパルスが１０個入力されるごとに、対率パルス信号のパルスが１個入力されるので、エラーとはならず、正規の入力として引き続き処理が行われる。
【００４１】
次いで、ステップＳ１２０，Ｓ１２２を経て、カウンタＣ2の値“９”に“１０”を乗じて得た値“９０”をカウンタＣ1の値“９８”から減じて差値ΔＣ“８”が算出され、この差値ΔＣが“１０”未満であるので、エラーとはならず、正規の入力として引き続き処理が行われる。
そして、ステップＳ１２６を経て、発券ボタン３４が有効にされ、ここで、遊技客が発券ボタン３４を押下すると、レシート発券処理部５０により、カウンタＣ1の値、すなわち計数機１０で計数した遊技媒体の個数がレシートに記録され、そのレシートがレシート発券口３６から発券される。
【００４２】
遊技客は、レシート発券口３４から発券されたレシートを受け取り、このレシートを景品交換カウンタに持っていき、所望の景品との交換を要求する。景品交換カウンタでは、レシートに記録された遊技媒体数をＰＯＳ端末装置により参照して景品の交換が行われる。
次に、計数機１０またはレシート発券機３０に対して不正行為が行われた場合であって、例えば、信号線９８にリレー等が介在させられ、このリレーにより計数パルス信号のパルス数が不正に加算される場合を説明する。この場合、レシート発券機３０に対して、本来、９８個のパルスからなる計数パルス信号および９個のパルスからなる対率パルス信号が入力されるところ、不正加算によって２００個のパルスからなる計数パルス信号が入力されるものとする。
【００４３】
レシート発券機３０では、信号線９８を介して計数パルス入力回路４２から計数パルス信号が入力されると、カウンタＣ1により計数パルス信号のパルス数“２００”が計数され、信号線９９を介して対率パルス入力回路４０から対率パルス信号が入力されると、カウンタＣ2により対率パルス信号のパルス数“９”が計数されるが、この場合、計数パルス信号のパルス数が不正に加算されていることにより、計数パルス信号のパルスが９８個計数された後は、計数パルス信号のパルスが１０個入力されるごとに、対率パルス信号のパルスが１個も入力されないこととなるので、エラーとなり、ステップＳ１２４において、異常ランプ３２が点灯する。
【００４４】
次に、計数機１０またはレシート発券機３０に対して不正行為が行われた場合であって、例えば、信号線９８，９９にリレー等が介在させられ、このリレーにより計数パルス信号および対率パルス信号のパルス数が不正に加算される場合を説明する。この場合、レシート発券機３０に対して、不正加算によって１００個のパルスからなるパルス信号が計数パルス信号および対率パルス信号として入力されるものとする。
【００４５】
レシート発券機３０では、信号線９８を介して計数パルス入力回路４２から計数パルス信号が入力されると、カウンタＣ1により計数パルス信号のパルス数“１００”が計数され、信号線９９を介して対率パルス入力回路４０から対率パルス信号が入力されると、カウンタＣ2により対率パルス信号のパルス数“１００”が計数されるが、この場合、計数パルス信号のパルスが１０個入力されるごとに、対率パルス信号のパルスが１個以上入力されることとなるので、この段階では、エラーとはならず、正規の入力として引き続き処理が行われる。
【００４６】
ところが、ステップＳ１２０，Ｓ１２２を経て、カウンタＣ2の値“１００”に“１０”を乗じて得た値“１０００”をカウンタＣ1の値“１００”から減じて差値ΔＣ“９００”が算出され、この差値ΔＣが“１０”未満とはならず、すなわち対率パルス信号のパルス数が計数パルス信号のパルス数に対して所定の割合とならないので、エラーとなり、ステップＳ１２４において、異常ランプ３２が点灯する。
【００４７】
このようにして、本実施の形態では、計数機１０は、投入された遊技媒体の個数を計数し、計数した計数値に相当する数のパルスからなる計数パルス信号を信号線９８に出力するとともに、計数した計数値に対して所定の割合（“０．１”）となる数のパルスからなる対率パルス信号を信号線９９に出力するようにし、レシート発券機３０は、信号線９８を介して入力した計数パルス信号のパルス数を計数し、信号線９９を介して入力した対率パルス信号のパルス数を計数し、対率パルス信号のパルス数が計数パルス信号のパルス数に対して所定の割合とならないときは、エラー処理として異常ランプ３２を点灯させるようにした。これにより、例えば、信号線９８にリレー等が介在させられ、このリレーにより計数パルス信号のパルス数を不正に加算するといった不正行為を発見することが可能となるので、従来に比して、不正行為によって誤って景品を交換してしまう可能性を低減することができる。
【００４８】
さらに、本実施の形態では、計数機１０が有する従来の機能であってホールコンピュータ７０が計数機１０の計数値を集計するために必要な対率パルス信号を出力する機能を利用して、計数機１０の計数値に誤りが含まれているか否かをレシート発券機３０で検査するようにした。したがって、計数値の誤りを検出するために新たな機能をさほど付加する必要がないので、安価でしかも簡易に構成することができる。
【００４９】
さらに、本実施の形態では、計数機１０では、計数パルス信号のパルスが所定数（“１０”）出力されるごとに、１個のパルスからなる対率パルス信号を出力するようにし、レシート発券機３０では、さらに、計数パルス信号のパルスが所定数計数されるごとに、対率パルス信号のパルスが１個計数されないときは、エラー処理として異常ランプ３２を点灯させるようにした。これにより、例えば、信号線９８，９９にリレー等が介在させられ、このリレーにより計数パルス信号および対率パルスのパルス数を不正に加算するといった不正行為を発見することが可能となるので、不正行為によって誤って景品を交換してしまう可能性をさらに低減することができる。
【００５０】
さらに、本実施の形態では、レシート発券機３０は、対率パルス信号のパルス数が計数パルス信号のパルス数に対して所定の割合とならないときであっても、対率パルス信号のパルス数に所定数（“１０”）を乗じて得た値を計数パルス信号のパルス数から減じた差値ΔＣが所定数未満であるときは、異常ランプ３２を点灯しないようにした。これにより、計数機１０を、計数パルス信号のパルスが所定数出力されるごとに、１個のパルスからなる対率パルス信号を出力するように構成した場合に、不正行為が行われていないにもかかわらず、誤って異常ランプ３２を点灯させてしまう可能性を低減することができる。
【００５１】
なお、上記実施の形態においては、遊技媒体としてパチンコ玉を取り扱う場合について説明したが、これに限らず、遊技媒体としてメダルやコイン等を取り扱ってもよい。
また、上記実施の形態においては、レシート発券機３０を、計数機１０の計数値をレシートに記録して発券するように構成したが、これに限らず、計数機１０の計数値を、磁気カードやＩＣカード等に記録して発券するように構成してもよい。
【００５２】
また、上記実施の形態において、図５のフローチャートに示す処理を実行するにあたっては、ＲＯＭ４６にあらかじめ格納されているプログラムを実行する場合について説明したが、これに限らず、これらの手順を示したプログラムが記録された記録媒体から、そのプログラムをＲＡＭ４８に読み込んで実行するようにしてもよい。
【００５３】
ここで、記録媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記録媒体であれば、あらゆる記録媒体を含むものである。
【００５４】
上記実施の形態において、レシート発券機３０は、第１ないし第３の発明の発券機に対応し、信号線９８は、第１ないし第３の発明の伝送媒体に対応し、信号線９９は、第２または第３の発明の第２の伝送媒体に対応し、対率パルス信号は、第１または第２の発明の判定情報に対応している。また、計数センサ１２および計数カウンタ１４は、第３の発明の計数手段に対応し、パルス変換回路１６および計数パルス出力回路２０は、第３の発明の第１のパルス信号出力手段に対応し、パルス変換回路１６および対率パルス出力回路１８は、第３の発明の第２のパルス信号出力手段に対応している。
【００５５】
また、ステップＳ１０２，Ｓ１０４は、第３または第４の発明のパルス計数手段に対応し、ステップＳ１０８，Ｓ１１０は、第３または第４の発明の第２のパルス計数手段に対応し、ステップＳ１２０〜Ｓ１２４は、第３または第４の発明のエラー処理手段に対応している。
【００５６】
【発明の効果】
以上説明したように、第１ないし第４の発明に係る発券システムによれば、計数機または発券機に対する不正を発見することが可能となるので、従来に比して、不正行為によって誤って景品を交換してしまう可能性を低減することができるという効果が得られる。
【００５７】
さらに、第４の発明に係る発券システムによれば、不正行為が行われていないにもかかわらず、誤って所定のエラー処理を実行してしまう可能性を低減することができるという効果も得られる。
【図面の簡単な説明】
【図１】本発明に係る発券システムの構成を示す図である。
【図２】計数機１０およびレシート発券機３０の外観の構成を示す図である。
【図３】計数機１０の内部構成を示すブロック図である。
【図４】レシート発券機３０の内部構成を示すブロック図である。
【図５】誤り検査処理を示すフローチャートである。
【図６】従来の景品管理システムの構成を示す図である。
【符号の説明】
１０                計数機
１２                計数センサ
１４                計数カウンタ
１６                パルス変換回路
１８                対率パルス出力回路
２０                計数パルス出力回路
３０                レシート発券機
３２                異常ランプ
３４                発券ボタン
３６                レシート発券口
４０                対率パルス入力回路
４２                計数パルス入力回路
４４                ＣＰＵ
４６                ＲＯＭ
４８                ＲＡＭ
５０                レシート発券処理部
７０                ホールコンピュータ
９８，９９          信号線
【図１】
0004338831.tif 000002
【図２】
0004338831.tif 000003
【図３】
0004338831.tif 000004
【図４】
0004338831.tif 000005
【図５】
0004338831.tif 000006
【図６】
0004338831.tif 000007